(57)【要約】【課題】  監視設備の破壊を単なる故障と混同、誤認することなく、迅速かつ確実に知ることができ、従って、監視設備の破壊を伴う重大な不法行為の監視と、発生時の対処が、確実にできる遠隔監視システム。【解決の手段】  不法行為が行なわれるおそれのある場所１付近に、不法行為を監視するための複数の検知装置４，５を具え、不法行為のおそれがあるとき、検知装置の少なくとも一つ５（４）が他の検知装置４（５）を含む映像を撮影する。この映像に基づいて他の検知装置の破壊４（５）を確認する。【選択図】  図１
2006079470.tif 000002
【特許請求の範囲】
【請求項１】
不法投棄等の不法行為が行なわれるおそれのある場所付近に、前記不法行為を監視するための少なくとも２の検知装置を具え、
前記検知装置の少なくとも１は、他の前記検知装置を含む映像を撮影し、必要に応じてそれを記録することができ、
前記映像に基づいて前記他の前記検知装置の破壊を確認することを特徴とする、遠隔監視システム。
【請求項２】
前記少なくとも２の検知装置のそれぞれが、前記他の前記検知装置を含む映像を撮影することができる、請求項１記載の遠隔監視システム。
【請求項３】
前記検知装置の前記少なくとも１は、前記不法行為が行なわれるおそれを示す情報があるとき、前記他の前記検知装置を含む映像を撮影する、請求項１記載の遠隔監視システム。
【請求項４】
前記少なくとも２の検知装置は、前記不法行為が行なわれるおそれを示す情報があるとき、それぞれ前記他の前記検知装置を含む映像を撮影する、請求項２記載の遠隔監視システム。
【請求項５】
前記情報は、前記場所を含む所定の区域に車両の進入または人の立ち入りがあることを示す情報である、請求項３または４記載の遠隔監視システム。
【請求項６】
前記少なくとも２の検知装置は、車両または人の接近を検知して、それに対応する信号を他の前記検知装置に有線または無線送信することができ、
前記情報は、前記少なくとも２の検知装置の１が前記車両または人の接近を検知した信号である、請求項４記載の遠隔監視システム。
【請求項７】
前記少なくとも２の検知装置は、いずれかの検知装置が破壊される状況を確認するのに適した映像を得るように、撮影条件を調整して前記映像を撮影することができる、請求項４ないし６のいずれかに記載された遠隔監視システム。
【請求項８】
前記映像の前記撮影が第１の撮影と第２の撮影から成り、
前記第１の撮影は所定の撮影条件で行なわれ、
前記第２の撮影は、前記検知装置のいずれかが破壊される状況を確認するのに適した映像を得るように、前記第１の撮影で得られた映像に基づき撮影条件を調整して行なわれる、請求項７記載の遠隔監視システム。
【請求項９】
不法投棄等の不法行為が行なわれるおそれのある要監視地点付近に設けた、前記不法行為を監視するための少なくとも２の検知装置と、
前記不法行為に関する情報を管理者に提供するための中央管理装置と、
前記少なくとも２の検知装置と前記中央管理装置の間に介在する信号伝達手段とから成り、
前記検知装置はそれぞれ、他の前記検知装置を含む映像を制御可能な所要の撮影条件で撮影し、必要に応じて記録することができ、
前記中央管理装置は、前記各検知装置の前記撮影条件を制御するための命令信号を、前記各検知装置に前記信号伝達手段を介して送信することができ、
前記少なくとも２の検知装置は、不法行為が行なわれるおそれを示す情報がもたらされたとき、前記映像を撮影および必要に応じて記録し、この映像を前記中央管理装置に前記信号伝達手段を介して送信し、
前記中央管理装置は、送信されたこの映像に基づき、前記少なくとも２の検知装置のいずれかが破壊される状況を確認するのに適した映像を得るように前記撮影条件を制御する命令信号を、前記少なくとも２の検知装置に前記信号伝達手段を介して送信し、
前記少なくとも２の検知装置は、前記中央管理装置から送信された前記命令信号に基づき前記撮影条件を調整して、前記映像を撮影および必要に応じて記録し、
前記少なくとも２の検知装置は、得られた前記映像を前記中央管理装置に前記信号伝達手段を介して送信し、
前記中央管理装置は、前記送信された映像を受信し、
前記管理者が前記少なくとも２の検知装置のいずれかの破壊を確認することを特徴とする、請求項７記載の遠隔監視システム。
【請求項１０】
前記中央管理装置が表示手段を具え、この表示手段は前記送信された各映像を表示することができ、
前記管理者は、前記情報がもたらされたとき前記検知装置から送信され、前記表示手段に表示された前記映像に基づき前記命令信号を決定し、
前記中央管理装置は、前記命令信号に基づいて前記少なくとも２の検知装置が撮影し、送信した前記映像を、前記表示手段に表示し、
表示されたこの映像により前記管理者が前記破壊を確認する、請求項９記載の遠隔監視システム。
【請求項１１】
不法投棄等の不法行為が行なわれるおそれのある第一の場所付近に設けた、前記不法行為を監視するための少なくとも２の監視装置と、
管理者の管理下にあり前記第一の場所を含む区域の、第二の場所に設けた少なくとも１の警戒装置と、
前記区域内または前記区域外に設けた１以上の中央管理装置と、
前記少なくとも２の監視装置と前記警戒装置および前記中央管理装置との間に介在する信号伝達手段とから成り、
前記少なくとも２の監視装置はそれぞれ、他の前記監視装置を含む映像を撮影および必要に応じて記録することができ、
前記少なくとも１の警戒装置は、車両または人の接近又は通過を検知し、検知に対応する警戒信号を前記少なくとも２の監視装置に、前記信号伝達手段を介して送信することができ、
前記少なくとも１の警戒装置は、前記車両または人の接近または通過を検知したとき、前記警戒信号を前記少なくとも２の監視装置に、前記信号伝達手段を介して送信し、
前記少なくとも２の監視装置は、前記警戒信号に基づいて前記映像を撮影し、この映像を前記中央管理装置の少なくとも１に、前記信号伝達手段を介して送信し、
前記少なくとも１の前記中央管理装置は、前記送信された前記映像を受信し、
この受信された映像により、前記管理者が前記少なくとも２の監視装置のいずれかの破壊を確認するように構成されたことを特徴とする、遠隔監視システム。
【請求項１２】
不法投棄等の不法行為が行なわれるおそれのある第一の場所付近に設けた、前記不法行為を監視するための少なくとも２の監視装置と、
管理者の管理下にあり前記第一の場所を含む区域の、第二の場所に設けた少なくとも１の警戒装置と、
前記区域内または前記区域外に設けた１以上の中央管理装置と、
前記少なくとも２の監視装置と前記警戒装置および前記中央管理装置との間に介在する信号伝達手段とから成り、
前記少なくとも２の監視装置はそれぞれ、他の前記監視装置を含む映像を撮影および必要に応じて記録することができ、
前記少なくとも１の警戒装置は、車両または人の接近又は通過を検知し、検知に対応する警戒信号を前記少なくとも２の監視装置に、前記信号伝達手段を介して送信することができ、
前記中央管理装置は表示手段を具え、
前記少なくとも１の警戒装置は、前記車両または人の接近または通過を検知したとき、前記警戒信号を前記少なくとも２の監視装置に、前記信号伝達手段を介して送信し、
前記少なくとも２の監視装置は、前記警戒信号に基づいて前記映像を撮影し、この映像を前記中央管理装置のいずれか１に前記信号伝達手段を介して送信し、
前記１の前記中央管理装置は、この送信された前記映像を受信し、前記表示手段に表示し、この表示された映像に基づき、前記少なくとも２の監視装置のいずれかが破壊される状況を確認するのに適した映像を得るように前記撮影条件を制御する命令信号を、前記信号伝達手段を介して前記少なくとも２の監視装置に送信し、
前記少なくとも２の監視装置は、前記命令信号に基づき撮影した前記映像を、前記信号伝達手段を介して前記１の前記中央管理装置に送信し、
前記１の前記中央管理装置は、送信された前記映像を受信して、前記表示手段に表示し、
前記表示手段に表示された前記映像により、前記少なくとも２の監視装置のいずれかの破壊を確認する、請求項１１記載の遠隔監視システム。
【請求項１３】
前記いずれか１の前記中央管理装置は、前記管理者の近傍にあり、
前記少なくとも２の監視装置から前記警戒信号に基づいて送信された映像に基づき、前記管理者が前記命令信号を決定することができ、
前記少なくとも２の監視装置から前記１の前記中央管理装置に送信され、前記表示手段に表示された前記映像により、前記管理者が前記破壊を確認できる、請求項１２記載の遠隔監視システム。
【請求項１４】
前記前記管理者の近傍にある前記中央管理装置が移動可能である、請求項１３記載の遠隔監視システム。
【請求項１５】
前記１の中央管理装置が、メモリを具え、前記警戒信号に基づき前記少なくとも１の警戒装置から送信された前記映像を前記メモリに記憶し、前記記憶された前記映像と、前記命令信号に基づき撮影された前記映像とを比較することができる、請求項１２記載の遠隔監視システム。
【請求項１６】
前記撮影条件が、視野、焦点距離、受光量の少なくとも１である、請求項１２記載の遠隔監視システム。
【請求項１７】
前記受光量が、絞り開口度、シャッター時間、フィルター濃度の少なくとも１である、請求項１６記載の遠隔監視システム。
【請求項１８】
前記第二の場所が前記区域の境界付近にある、請求項１１または１２記載の遠隔監視システム。
【請求項１９】
前記信号伝達手段は、車両または人の接近又は通過の検知に対応する警戒信号を、前記中央管理装置を介して前記少なくとも２の監視装置に送信することができ、
前記警戒信号が、前記少なくとも１の警戒装置から前記信号伝達手段および前記中央管理装置を介して前記少なくとも２の監視装置に送信される、請求項１２記載の遠隔監視システム。
【請求項２０】
少なくとも２の前記中央管理装置がそれぞれ表示手段を具え、
前記少なくとも１の警戒装置が、前記警戒信号を前記少なくとも２の監視装置に送信し、
前記少なくとも２の監視装置が、前記警戒信号に基づいて撮影および必要に応じて記録した前記映像を第１の前記中央管理装置に送信し、
前記第１の前記中央管理装置が、この送信された前記映像を受信し、第１の表示手段に表示し、この表示された映像に基づき、前記少なくとも２の監視装置に前記命令信号を送信し、
前記少なくとも２の監視装置が、前記命令信号に基づき撮影した前記映像を他の第２の前記中央管理装置に送信し、
前記第２の前記中央管理装置は、この送信された前記映像を受信し、第２の表示手段に表示し、
前記第２の表示手段に表示された前記映像に基づき、前記管理者が前記監視装置のいずれかの破壊を確認する、請求項１９記載の遠隔監視システム。
【請求項２１】
前記少なくとも１の警戒装置が前記警戒信号を、前記少なくとも２の監視装置に送信するとともに、第１の前記中央管理装置に送信する、請求項２０記載の遠隔監視システム。
【請求項２２】
前記少なくとも１の警戒装置が、接近した車両または人を撮影および必要に応じ記録する手段を具える、請求項１１，１２または２０に記載された遠隔監視システム。
【発明の詳細な説明】
【技術分野】
【０００１】
本発明は、遠隔監視システムに関し、特に、設備が破壊されたときにそれを迅速かつ確実に検知できる、不法投棄等の不法行為を遠隔監視するための遠隔監視システムに関する。
【背景技術】
【０００２】
産業廃棄物等の不法投棄を、監視員のパトロールによらず検知し、管理者に知らせる遠隔監視システムは、特許文献１等の記載により知られている。
【０００３】
特許文献１に記載された遠隔監視システムは、入口監視手段及び出口監視手段で、それぞれ監視区域の入口と出口を通る車両を認識し、車両を特定してその積載状態をそれぞれ測定し、特定された車両について、監視区域の入口と出口の間での積載状態の変化に基づいて不法投棄の可能性を評価するものである。
【０００４】
図１０は、特許文献１に記載された従来の遠隔監視システムを示す。不法投棄が行なわれそうな場所５１を含む区域５２の入口６１と出口６２に、それぞれ検知装置６３を設け、区域５２の付近または離れた場所に中央処理装置６７を設ける。検知装置６３は、車両が通過すると、その車両番号を検知し、積載物の高さを測定し、これらのデータを中央処理装置６７に送信する。このデータに基づいて中央処理装置６７は、特定の車両が入口６１を通過したときの積載物の高さと、出口６２を通過したときの積載物の高さを比較し、高さの減少が所定の条件を満たすとき、この車両が不法投棄をしたと判断し、区域５２の管理者に通報する。
【０００５】
このような遠隔監視システムの存在に不法投棄者やその仲間が気付くと、検知装置等の設備が破壊されることもある。このようなとき、データの送信は不能となり、その効果を発揮できない。破壊された場合には、早急に復旧が必要とされるのはもちろん、破壊直後にそれを知ることができれば、破壊者を捕捉することも可能である。
【特許文献１】特開２００３−１２１５７号
【発明の開示】
【発明が解決しようとする課題】
【０００６】
しかし、データの受信が途絶えたとき、検知装置や通信路に故障が生じた可能性もあるから、それだけで設備が破壊されたとは断定できない。設備の故障と破壊の識別を可能にし、破壊されたことを迅速かつ確実に知ることが望まれる。
【０００７】
従って、本発明の目的は、設備の破壊と単なる故障との識別を容易にし、設備の破壊を迅速かつ確実に知ることができる遠隔監視システムを、実現することにある。
【課題を解決するための手段】
【０００８】
上記目的を達成するため、本発明の遠隔監視システムは、不法投棄等の不法行為が行なわれるおそれのある場所付近に、不法行為を監視するための少なくとも２の検知装置を具え、検知装置の少なくとも１は、他の検知装置を含む映像を撮影し、必要に応じてそれを記録することができ、この映像に基づき、他の検知装置の破壊を確認することを特徴とする。
【０００９】
また上記目的を達成するため、本発明の他の遠隔監視システムは、不法投棄等の不法行為が行なわれるおそれのある第一の場所付近に設けた、不法行為を監視するための少なくとも２の監視装置と、管理者の管理下にあり第一の場所を含む区域の、第二の場所に設けた少なくとも１の警戒装置と、この区域内または区域外に設けた１以上の中央管理装置と、少なくとも２の監視装置と警戒装置および中央管理装置との間に介在する信号伝達手段とから成り、少なくとも２の監視装置はそれぞれ、他の監視装置を含む映像を撮影および必要に応じて記録することができ、少なくとも１の警戒装置は、車両または人の接近又は通過を検知し、検知に対応する警戒信号を少なくとも２の監視装置に、信号伝達手段を介して送信することができ、少なくとも１の警戒装置は、車両または人の接近または通過を検知したとき、警戒信号を少なくとも２の監視装置に、信号伝達手段を介して送信し、少なくとも２の監視装置は、警戒信号に基づいて映像（他の検知装置を含む）を撮影し、この映像を中央管理装置の少なくとも１に、信号伝達手段を介して送信し、少なくとも１の中央管理装置は、この送信された映像を受信し、この受信された映像により、管理者が少なくとも２の監視装置のいずれかの破壊を確認するように構成されたことを特徴とする。
【００１０】
不法投棄等の不法行為が行なわれるおそれのある場所（第一の場所）を、要監視地点と呼ぶことにする。要監視地点付近に設ける少なくとも２の検知装置を、監視装置と呼ぶことにする。要監視地点を含む区域を、仮に管理区域と呼ぶ。管理区域内の少なくとも１の検知装置を設ける場所、すなわち第二の場所は、例えば管理区域の入口である。第二の場所に設ける少なくとも１の検知装置を、警戒装置と呼ぶことにする。
【００１１】
監視装置のうち少なくとも１つは、他の監視装置を含む映像を撮影できることが、本発明の遠隔監視システムにおいて設備破壊を迅速に確実に検知するための必須の要件であるが、各監視装置がいずれも他の監視装置を含む映像を撮影できることが好ましい。
【００１２】
監視装置は、常に撮影を継続する必要はなく、不法行為が行なわれるおそれを示す情報がもたらされたとき、他の監視装置を含む映像を撮影することが重要である。監視装置が互いの撮影を開始する動機となる、不法行為が行なわれるおそれを示す情報は、例えば、要監視場所を含む所定の区域すなわち管理区域で、車両の進入または人の立ち入りを検知した信号である。これを警戒信号と呼ぶことにする。警戒信号は監視装置すべてに送信されることが好ましい。
【００１３】
管理区域の第二の場所で警戒装置により車両の進入または人の立ち入りを検知するには、警戒装置に接近した車両または人による、超音波、赤外線、電波等の遮断または反射を利用することができる。
【００１４】
監視装置も車両または人の接近を検知する手段を有してもよい。これにより、検知に対応する信号（警戒信号に相当）を他の監視装置に送信して、監視装置を相互に撮影し、監視装置相互の破壊監視が可能になる。
【００１５】
監視装置は、他の監視装置を含む映像を撮影する際の撮影条件を調整できることが好ましい。撮影条件の要因は、視野、焦点距離、受光量（絞り開口度、シャッター時間、フィルター濃度等）等であり、撮影条件の調整は、これらのうち少なくとも１を調整することにより行われる。撮影条件の調整は、いずれかの検知装置が破壊される状況を確認するのに適した映像を得るように行うことが好ましい。
【００１６】
撮影条件を調整して撮影することができるとしても、すべての撮影において条件を最適化する必要はなく、第１の撮影では所定の撮影条件で行ない、次の撮影において、他の監視装置が破壊される状況を確認するのに適した映像を得るように、撮影条件を調整して行なってもよい。
【００１７】
不法投棄等の不法行為が行なわれるおそれのある要監視地点付近に不法行為を監視するための、少なくとも２の検知装置を設け、不法行為に関する情報を管理者に提供するための中央管理装置と、少なくとも２の検知装置と中央管理装置の間に介在する信号伝達手段とを備え、検知装置はそれぞれ、他の検知装置を含む映像を制御可能な所要の撮影条件で撮影し、必要に応じて記録することができ、中央管理装置は、各検知装置の前記撮影条件を制御するための命令信号を、各検知装置に信号伝達手段を介して送信することができ、不法行為が行なわれるおそれを示す情報がもたらされたとき、少なくとも２の検知装置は映像を撮影し（第一次）、必要に応じて記録し、この映像を中央管理装置に信号伝達手段を介して送信し、中央管理装置は、送信されたこの映像に基づき、少なくとも２の検知装置のいずれかが破壊される状況を確認するのに適した映像を得るように、撮影条件を制御する命令信号を、少なくとも２の検知装置に信号伝達手段を介して送信し、少なくとも２の検知装置は、中央管理装置から送信された命令信号に基づき撮影条件を調整して、映像を撮影（第二次）および必要に応じて記録し、少なくとも２の検知装置は、得られた映像を少なくとも１の中央管理装置に信号伝達手段を介して送信し、この中央管理装置は送信された映像を受信し、管理者が少なくとも２の検知装置のいずれかの破壊を確認するようにしてもよい。
【００１８】
中央管理装置の少なくとも１つは、受信した映像を表示することができる表示手段を具えることが好ましい。表示手段を具えた中央管理装置が管理者の近傍にあると、警戒信号に基づいて要監視地点の付近にある監視装置から送信され表示された映像に基づき、管理者は撮影条件に関する命令を決定し、また、命令信号に基づいて監視装置により撮影され送信された映像を表示手段に表示し、表示された映像により管理者は監視設備の破壊を確認することができる。
【００１９】
表示手段を具えた中央管理装置が移動可能（例えば携帯可能の小型コンピュータ）であると、管理者が移動しても、中央管理装置を常にその近傍に置くことができるので、なお好都合である。
【００２０】
いずれか特定の監視装置が撮影する他の監視装置は、一定でもよいし、順次あるいは必要に応じ、変更されてもよい。変更される場合は一般に撮影の方向を変更する必要があり、監視装置は所要の複数の撮影装置（カメラ）を具えるか、カメラの方向を変更する機構を具える必要がある。きわめて広い視野を持つ（例えば、魚眼レンズを具える）撮影装置を用いれば、これらの方法を用いなくても複数の他の監視装置を同時に撮影できる。
【００２１】
二つの監視装置が相互に他方を撮影してもよいし、第一の監視装置が第二の監視装置を、第二の監視装置は第三の監視装置を、それぞれ撮影してもよい。撮影する監視装置と撮影される他の監視装置の関係が度々変更される場合、その関係は規則性をもってもよいし、ランダムに変更されてもよい。この変更は中央管理装置に記憶されたプログラムによって行うことができる。どれか１つの監視装置が他の複数の監視装置を撮影してもよい。
【００２２】
警戒信号は、警戒装置から中央管理装置および信号伝達手段を介して監視装置に送信されてもよい。このようにすると、中央管理装置の近傍にいる管理者は、監視装置からの映像を受信する前に、警戒信号の発信を知ることができる。
【００２３】
不法行為は、不法投棄のほか、盗み、強盗、破壊、放火、傷害、密売等をも含み、現場の監視がその防止に役立つものなら何でもよい。
【００２４】
警戒装置および各監視装置は、相互および中央管理装置と広域通信網を介して交信するにあたり、それぞれ固有のアドレスを有することが通常必要とされる。このアドレスは通常、広域通信網のプロバイダ（ＩＳＰ）により設定されるが、固定のアドレスのほか、随時設定されるＤＨＣＰによるアドレスを用いることもできる。後者の場合、警戒装置および各監視装置のセンサーサーバはＤＨＣＰ機能を有する必要がある。
【００２５】
監視装置または警戒装置は、外部の電源に依存すると、配電線を切断されるおそれがあるので、自家発電機、太陽電池等の独立の電源を有することが好ましい。外部の電源に頼る場合には、主ラインのほかに予備ラインを設け、主ラインが切断されても予備ラインでの作動を可能にしておくことが望ましい。この場合に、どれかの監視装置（警戒装置を含む）の主ラインの切断に応じて、警戒信号が他の監視装置および中央監視装置に送信されるようにすることが、好ましい。
【発明の効果】
【００２６】
本発明の遠隔監視システムは、不法投棄等の不法行為が行なわれるおそれのある場所付近に、不法行為を監視するための少なくとも２の検知装置を具え、検知装置の一つが他の検知装置を含む映像を撮影（必要に応じて記録）することができ、この映像に基づいて他の検知装置の破壊を確認することを特徴とし、これにより、監視設備の破壊を、単なる故障と混同、誤認することなく、迅速かつ確実に知ることができる。従って、監視設備の破壊を伴うような重大な不法行為の監視と、さらに発生時の対処が、確実にできる。
【発明を実施するための最良の形態】
【００２７】
［第１の実施の形態］
（第１の実施の形態の構成）
図１は、本発明の第１の実施の形態に係る遠隔監視システムを示す。不法投棄等の不法行為が行われるおそれのある地点１が、管理区域２の中にあり、地点１は道路２ａに沿っている。地点１の周辺には、監視装置４，５，６，７が設置され、監視装置４および５の視野は地点１を含むように、監視装置６の視野は監視装置４を含むように、監視装置７の視野は監視装置５を含むように、設置されている。監視装置４および５は、それぞれ他の一方の視野に含まれる。
【００２８】
道路２ａが管理区域１の境界を通る地点１ａ、すなわち管理区域１の入口には、警戒装置８が設置されている。警戒装置８は車両および人の接近を検知できる。管理区域から離れた適当な場所に、中央管理装置３が置かれ、管理者３ａが駐在する。監視装置４，５，６，７、警戒装置８、中央管理装置３はいずれも、図示されないインターネット等の広域通信網に接続されている。
【００２９】
（第１の実施の形態の細部）
図２は、監視装置４ないし７の構造を示す。監視装置４等は、支柱１１に取り付けられた、接近センサー１２、検知用光源１３、カメラ１４、撮影用光源１５、センサーサーバ１６、太陽電池１７から成る。接近センサー１２は車両や人の接近を検知するもので、検知用光源１３は検知に用いる赤外線を放射する。カメラ１４は地点１およびいずれかの監視装置を撮影するもので、撮影用光源１５は、夜間など撮影に必要な光量が不足のとき、照明のために用いる。センサーサーバ１６は、接近センサー１２およびカメラ１４からの信号を、図示しない信号伝送網に送り出し、また、それらに制御信号等を受信するためのサーバである。太陽電池１７は、接近センサー１２、カメラ１４、検知用光源１３、撮影用光源１５、およびセンサーサーバ１６に、必要な電力を供給する。支柱１１は、雨水や風圧で容易に倒れないような強度を持つ。警戒装置８も同じ構造をもつ。
【００３０】
図３は、各監視装置に共通のセンサーサーバ１６の構成を示す。センサーサーバ１６は、中央演算装置２１、入出力部２２、インターフェース２２ａ、制御部２３、メモリ２４、電源部２５、表示部２６から成り、インターフェース２２ａはアンテナ２２ｂを有する。表示部２６は、カメラ１４のモニターの役割をする。電源部２５は太陽電池１７に接続されており、太陽電池１７からの電力を制御もしくは変換する。警戒装置８のセンサーサーバも同様に構成される。
【００３１】
図４は、中央管理装置３の構成を示す。中央管理装置３は、中央演算装置３１、入出力部３２、インターフェース３２ａ、制御部３３、メモリ３４、電源部３５、表示部３６から成り、インターフェース３２ａはアンテナ３２ｂを有する。表示部３６の図示しない表示画面の前には管理者３ａが着席する。
【００３２】
図５は、図１で図示を省略した広域通信網と監視装置、中央管理装置等との間の関係を示す。中央管理装置３はプロバイダ４３に、監視装置４ないし７および警戒装置８はプロバイダ４４に、無線で接続され、プロバイダ４３および４４は広域通信網４１に接続されている。
【００３３】
（第１の実施の形態の動作）
図６は、第１の実施の形態における信号の流れを示す。第１の実施の形態の動作を、図１および図６を参照しながら説明する。監視装置４ないし７および警戒装置８は、それぞれの太陽電池１７からの電力で作動する。管理区域２の入口２ａで道路１ａをトラック等の車両または人が通過すると、道路１ａの傍らに設置された警戒装置８は車両または人の接近を検知して、警戒信号Ｗをセンサーサーバ１６から発信し、警戒信号Ｗは広域通信網４１を介して中央管理装置３に伝送される（図６ステップ１）。中央管理装置３は警戒信号Ｗを認識し、広域通信網４１を介して監視装置４ないし７にそれを伝達する（図６ステップ２）。警戒信号を受けた監視装置４ないし７はカメラ１４を作動させ、第一次撮影を行う。その映像Ｘは広域通信網４１を介して中央管理装置３に送信され、その表示部に表示される（図６ステップ３）。なお、図６ではプロバイダ４２，４３は広域通信網４１に含むものとした。
【００３４】
管理者３ａは、これらの映像を見て、撮影条件の命令信号Ｃを中央管理装置３から広域通信網４１を介して監視装置４ないし７へ送る（図６ステップ４）。画面が若干暗ければレンズ開口度を大きくするように、画面が著しく暗ければ撮影用光源１５を点灯させる命令信号を送る。もし監視装置４が監視装置５または６の視野から外れているときには、監視装置５または６のカメラの方向を調整する命令信号を送る。監視装置５が監視装置４または７の視野から外れているときも同様に、監視装置４または７のカメラの方向を調整する命令信号を送る。映像の中に不審な人物等が認められるが、焦点がずれていて像がはっきりしない場合には、監視装置の焦点距離を調整する命令信号を送る。
【００３５】
命令信号Ｃを受けた監視装置４ないし７は、それぞれの命令信号に従ってカメラの撮影条件を調整し、第二次撮影を行い、中央管理装置３へ広域通信網４１を介して映像Ｙを送る（図６ステップ５）。管理者３ａは、中央管理装置３の表示部に表示された、監視装置４ないし７からの第二次撮影の映像Ｙを見て、どれかの画面の中で監視装置に接近して不審な行動をとっている人物がいないか、監視装置の破壊が行われていないか、確認する。もし不審な人物がいるか、監視装置の破壊が行われているときは、装置の破壊と不法行為そのものを阻止するため、直ちに人を急行させる。特にこれらの問題がない場合には、第二次撮影を何度でも反復し、あるいは継続的に撮影を行ってもよい。
【００３６】
（第１の実施の形態の効果）
管理区域の入り口１ａで車両または人の通過が検知されると、警戒装置８から警戒信号が監視装置４等へ送られ、上述の手順で他の監視装置を視野に入れた撮影が行われ、各監視装置からその映像が中央管理装置３へ送られる。管理者はこの映像を見て、他の監視装置が破壊されつつある、あるいは不審人物が近づいて破壊されるおそれがあることを知り、監視装置の破壊を阻止する対策をとることができる。従来の不法行為監視システムでは、監視装置が破壊されると、監視のための情報が途絶え、監視の機能が失われ、装置等の故障との区別が難しいが、本発明の監視システムでは、複数の監視装置のどれかが破壊されずに残れば、監視装置の破壊を検出でき、監視装置が破壊されても不法行為の阻止が可能である。
【００３７】
［第２の実施の形態］
第１の実施の形態で、不法行為を企む車両や人が管理区域の入口２ａを通らずに管理区域２に侵入することがあり得る。また入口２ａの警戒装置８がたまたま故障し、車両または人の通過を検知できないこともある。このような場合、別の形態で監視装置の破壊を検知し、不法行為を阻止することが可能である。
【００３８】
（第２の実施の形態の構成）
図７は、第２の実施の形態に係る遠隔監視システムを示す。このシステムは、管理区域の入り口１ａに警戒装置８が存在しないことを除いて、第１の実施の形態と同じ構成をもつ。それ故、個々の装置等の要素についての説明は省略する。図２ないし図４は、第２の実施の形態にも、そのまま適用される。なお、第２の実施の形態では、図５の警戒装置８は存在しない。
【００３９】
（第２の実施の形態の動作）
図８は、第２の実施の形態における広域通信網と監視装置および中央管理装置の間の信号の流れを示す。車両や人が管理区域の入り口２ａを通らずに管理区域２に侵入し、監視装置４に接近したとする。監視装置４の接近センサー１２（図２を参照）が、車両または人の接近を検知すると、警戒信号Ｗが広域通信網４１および中央管理装置３を介して、監視装置５ないし７に送られる（図８ステップ１）。警戒信号Ｗは監視装置４自身の中でもセンサーサーバ１６に送られる。監視装置４ないし７は、センサーサーバ１６に受け入れた警戒信号Ｗに応じて、それぞれ他の監視装置を視野に含む映像の第一次撮影を開始する。監視装置４ないし７はこの映像Ｘの信号を、広域通信網４１を介して中央管理装置３に送信する（図８ステップ２）。中央管理装置３に受信された映像Ｘは、表示部に表示される。
【００４０】
管理者３ａは、監視装置４を視野に含むように設置された監視装置５および６から送信された映像Ｘを見て、画面が若干暗ければレンズ開口度を大きくするように、また夜間等で画面が著しく暗ければ撮影用光源１５を点灯するように、撮影条件の命令信号Ｃを中央管理装置３から広域通信網４１を介して監視装置５および６へ送る（図８ステップ３）。もし監視装置４が監視装置５または６の視野から外れているなら、監視装置５または６のカメラの方向を調整する命令信号を送る。
【００４１】
命令信号Ｃを受けた監視装置５および６は、信号の命令に従いカメラの撮影条件を調整して第二次撮影を行い、監視装置４を視野に含む映像Ｙを、広域通信網４１を介して中央管理装置３へ送る（図８ステップ４）。管理者３ａは、中央管理装置３の表示部に表示された監視装置５および６からの第二次撮影の映像Ｙを見て、画面の中で監視装置４に接近した人物が不審者か、不審な行動をしていないか、監視装置４を破壊していないか、確認する。
【００４２】
監視装置５に車両または人が接近した場合も同様である。すなわち、監視装置５からの警戒信号Ｗに応じて、監視装置４および７が監視装置５を視野に含む映像の第一次および第二次撮影を行い、管理者は、第二次撮影の映像Ｙを見て、監視装置５に接近した人物が不審な行動をしていないか、監視装置５を破壊していないか、確認する。
【００４３】
監視装置６または７に人が接近し、破壊を始めたときは、これらを視野に収める監視装置は他にない。しかし、接近による警戒信号はすでに中央管理装置３に送られているので、監視装置６および７は第一次撮影を開始しており、破壊により監視装置６または７からの映像が中央管理装置３に受信できなくなったとき、すぐに対策をとることができる。
【００４４】
（第２の実施の形態の効果）
車両や人が管理区域の入口２ａを通らずに管理区域２に侵入し、監視装置４または５を破壊し始めたときでも、監視装置４または５が車両または人の接近を検知するので、警戒信号が監視装置４ないし７に送られ、他の監視装置を視野に入れた撮影が行われ、各監視装置から映像が中央管理装置３へ送られる。管理者はこの映像を見て、監視装置４または５が破壊されるおそれがある、あるいは破壊されつつあることを知り、破壊を阻止する対策をとることができる。監視装置６または７に人（または車両）が接近し、破壊を始めたときも、監視装置６または７は人（または車両）の接近を検知するので、警戒信号が中央管理装置３へ送られるから、破壊により監視装置６または７からの映像が中央管理装置３に受信できなくなれば、すぐに対策をとることができる。
【００４５】
［第３の実施の形態］
（第３の実施の形態の構成）
第１の実施の形態で、警戒装置８から警戒信号を中央管理装置３へ送信せず、広域通信網４１を介して直接に監視装置４ないし７に送信するように構成する。システムの構成は図１ないし図５と同じでよく、信号の運用が第１の実施の形態と異なるだけである。
【００４６】
（第３の実施の形態の動作）
図９は、第３の実施の形態における広域通信網と監視装置、警戒装置および中央管理装置の間の信号の流れを示す。図１と図９を参照しながら、第３の実施の形態の動作を説明する。管理区域２の入口２ａで道路１ａをトラック等の車両が通過すると、道路１ａの傍らに設置された警戒装置８は車両の接近を検知して、警戒信号Ｗをセンサーサーバ１６から発信し、警戒信号Ｗは広域通信網４１を介して監視装置４ないし７に伝送される（図９ステップ１）。警戒信号Ｗを受けた監視装置４ないし７は、カメラ１４を作動させて、第一次撮影する。その映像Ｘは広域通信網４１を介して中央管理装置３に送信され（図９ステップ２）、その表示部に表示される。管理者３ａは、これらの映像を見て、第１の実施の形態と同様に第二次撮影の条件を決定し、撮影条件の命令信号Ｃを監視装置４ないし７へ送る（図９ステップ３）。第二次撮影以降は第１の実施の形態と同様である（図９ステップ４）。
【００４７】
（第３の実施の形態の効果）
第３の実施の形態では、管理者が警告信号の発信を知ることなく、監視装置からの第一次撮影の映像を直接見ることになる点を除き、その効果は第１の実施の形態と同じである。
【図面の簡単な説明】
【００４８】
【図１】本発明の第１の実施の形態に係る遠隔監視システムを示す説明図。
【図２】第１の実施の形態における監視装置の構造を示す立面図。
【図３】第１の実施の形態におけるセンサーサーバの構成を示すブロック図。
【図４】第１の実施の形態における中央管理装置の構成を示すブロック図。
【図５】第１の実施の形態における、広域通信網と監視装置、警戒装置および中央管理装置を示すブロック図。
【図６】第１の実施の形態における信号の流れを示すフロー図。
【図７】第２の実施の形態に係る遠隔監視システムを示す説明図。
【図８】第２の実施の形態における、広域通信網と監視装置および中央管理装置の間の信号の流れを示すフロー図。
【図９】第３の実施の形態における信号の流れを示すフロー図。
【図１０】従来の遠隔監視システムを示す説明図。
【符号の説明】
【００４９】
１…不法行為が行われるおそれのある地点、１ａ…道路、２…管理区域、２ａ…管理区域の入口、３…中央管理装置、３ａ…管理者、４，５，６，７…監視装置、８…警戒装置、１１…支柱、１２…接近センサー、１３…検知用光源、１４…カメラ、１５…撮影用光源、１６…センサーサーバ、１７…太陽電池、２１…中央演算装置、２２…入出力部、２２ａ…インターフェース、２２ｂ…アンテナ、２３…制御部、２４…メモリ、２５…電源部、２６…表示部、３１…中央演算装置、３２…入出力部、３２ａ…インターフェース、３２ｂ…アンテナ、３３…制御部、３４…メモリ、３５…電源部、３６…表示部、４１…広域通信網、４３…プロバイダ、４４…プロバイダ、５１…不法投棄が行なわれそうな場所、５２…区域（場所５１を含む）、６１…入口、６２…出口、６３…検知装置、６７…中央処理装置、
【図１】
2006079470.tif 000003
【図２】
2006079470.tif 000004
【図３】
2006079470.tif 000005
【図４】
2006079470.tif 000006
【図５】
2006079470.tif 000007
【図６】
2006079470.tif 000008
【図７】
2006079470.tif 000009
【図８】
2006079470.tif 000010
【図９】
2006079470.tif 000011
【図１０】
2006079470.tif 000012